(57)【要約】【課題】ポンプモータへの負荷を増すことなく空冷作用が有効に機能し、低速運転のポンプにも適用可能で、且つ、既存のポンプにも僅かな加工を施すのみで実施し得る、竪型電動ポンプの気中空冷装置を提供する。【解決手段】モータケース２の外周に環状の通風路５を形成するよう繞設されたアウトカバー４を装備し、該アウトカバー４の上端はモータケース２に内装されたステータ３の上端部付近の高さで上向き状に開口され、該アウトカバー４の下端は前記ステータ３の下端部付近の高さで下向き状に開口され、アウトカバー４の周壁の側部より導出開口された送気口６を有し、該送気口６の導出開口端に小型水中モータ７を装備した冷却ファン８を装着した。【選択図】        図１
2005351158.tif 000002
【特許請求の範囲】
【請求項１】
竪型電動ポンプにおけるモータケースの外周に環状の通風路を形成するよう繞設されたアウトカバーを装備し、該アウトカバーの上端はモータケースに内装されたステータの上端部付近の高さで上向き状に開口され、該アウトカバーの下端は前記ステータの下端部付近の高さで下向き状に開口され、アウトカバーの周壁の側部より導出開口された送気口を有し、該送気口の導出開口端に小型水中モータを装備した冷却ファンを装着し、該冷却ファンによる送風が環状の通風路を巡ってアウトカバーの前記上下両端の開口部から送出されるように構成したことを特徴とする、竪型電動ポンプの気中空冷装置。
【請求項２】
アウトカバーの内周面には、送気口から上端開口部と下端開口部へ向けて伸延された誘導溝が凹設されていることを特徴とする、請求項１記載の竪型電動ポンプの気中空冷装置。
【発明の詳細な説明】
【技術分野】
【０００１】
本発明は、竪型電動ポンプの気中空冷装置に関するものである。
【背景技術】
【０００２】
竪型電動ポンプにおいて、ヘッドカバー上面へ導出されたモータ軸の上端に冷却ファンを付設した気中空冷装置は、従来から実施されている（例えば、特許文献１参照）。しかし上記従来の冷却装置では、ポンプ羽根車を回転させるモータ軸が冷却ファンの回転に共用されているためモータへの負荷が増して更なる熱を発生し、且つ、ファンカバーが冷却ファンの直上部にのみ存在するに過ぎないためモータケース外周部への空気誘導が行われないことと相俟って、空冷作用が有効に機能しないという欠点がある。また、ヘッドカバーの上面は本来、アイボルト等の吊り用冶具の取付けられるべき部位であり、この部分に冷却ファンを設けることは上記吊り用冶具取付けの障碍となり、ポンプの吊り作業を困難にする要因となる。また、冷却ファンの回転速度がポンプモータの回転速度に依従するため、低速運転のポンプには適用し得ないという欠点がある。また、モータケース周側が露出しているため炎天下での使用時には直射日光の影響を受けてモータ内部の温度上昇が助長されることになる。
【特許文献１】特開平８−１１４２００号公報（第２図）
【発明の開示】
【発明が解決しようとする課題】
【０００３】
解決しようとする課題は、吊り用冶具取付けの障碍となることなく冷却ファンを装着でき、ポンプモータへの負荷を増すことなく空冷作用が有効に機能し、また、低速運転のポンプにも適用可能で、且つ、既存のポンプにも僅かな加工を施すのみで実施し得る、竪型電動ポンプの気中空冷装置を提供することである。
【課題を解決するための手段】
【０００４】
本発明竪型電動ポンプの気中空冷装置では、竪型電動ポンプにおけるモータケースの外周に環状の通風路を形成するよう繞設されたアウトカバーを装備し、該アウトカバーの上端はモータケースに内装されたステータの上端部付近の高さで上向き状に開口され、該アウトカバーの下端は前記ステータの下端部付近の高さで下向き状に開口され、アウトカバーの周壁の側部より導出開口された送気口を有し、該送気口の導出開口端に小型水中モータを装備した冷却ファンを装着したことを、最も主要な特徴とする。
【発明の効果】
【０００５】
本発明竪型電動ポンプの気中空冷装置によれば、モータケースの外周に環状の通風路を形成するようアウトカバーを繞設して該アウトカバーの周壁の側部より導出開口された送気口に小型水中モータを装備した冷却ファンを装着していることから、該冷却ファンの駆動についてポンプモータへの負荷を増すことなく、モータケースの外周に沿って旋回する送風作用により有効な空冷効果得られ、且つ、冷却ファンの回転速度がポンプモータ回転速度に依従するものでないため低速運転のポンプにも適用が可能である。また、ヘッドカバーの上面に冷却ファンを設ける従来の冷却装置と異なり、アイボルト等の吊り用治具取付けに何等障碍を生じることはない。また、既存のポンプにも僅かな加工を施すのみでアウトカバーを装着して気中空冷装置を構成することができるという利点がある。
【発明を実施するための最良の形態】
【０００６】
竪型電動ポンプにおけるモータケースの外周に環状の通風路を形成するよう繞設されたアウトカバーを装備し、該アウトカバーの上端はモータケースに内装されたステータの上端部付近の高さで上向き状に開口され、該アウトカバーの下端は前記ステータの下端部付近の高さで下向き状に開口され、アウトカバーの周壁の側部より導出開口された送気口を有し、該送気口の導出開口端に小型水中モータを装備した冷却ファンを装着し、アウトカバーの内周面には送気口から上端開口部と下端開口部へ向けて伸延される誘導溝を凹設し、冷却ファンによる送風が誘導溝に沿うように環状の通風路を巡ってアウトカバーの前記上下両端の開口部から送出されるように構成する。
【実施例１】
【０００７】
実施例の図面において、１はポンプケーシング、２はポンプケーシング１上に立設されたモータケースであり、内部にはステータ３が嵌着されている。４はアウトカバーであり、モータケース２の外周に環状の通風路５を形成するよう繞設され、該アウトカバー４の上端はモータケース２に内装されたステータ３の上端部付近の高さで上向き状の排気口４ａとなるように開口され、該アウトカバー４の下端は前記ステータ３の下端部付近の高さで下向き状の排気口４ｂとなるように開口され、この状態により例えばアウトカバー４の上端から導延された取付アーム４ｃ・・４ｃによってモータケース２の壁面に定着される。６はアウトカバー４の周壁の側部より導出開口された送気口、７は送気口６の導出開口端に装着された小型水中モータであり、該小型水中モータ７を装備した冷却ファン８が装着されている。９はモータケース２の下端部付近に設けられた水位検知器、１０はヘッドカバー１１上に取付けられたアイボルトであり、竪型電動ポンプの吊下げに供せられる。水位が低下してモータケース２が水面上へ露出し、いわゆる気中運転となったことを水位検知器が検知すれば、その検知信号を受けて小型水中モータ７が起動し、冷却ファン８により送風が環状の通風路５を巡ってモータケース２の要部(ステータ３の内装されている周辺)を冷却しながらアウトカバー４の上向き状排気口４ａおよび下向き状排気口４ｂから送出される。
【実施例２】
【０００８】
実施例１の構成を前提として、アウトカバー４の内周面には送気口６から上端開口部へ向けて伸延された誘導溝１２ａおよび下端開口部へ向けて伸延された誘導溝１２ｂを凹設する。これら誘導溝１２ａ，１２ｂの存在により、送気口６から通風路５を巡って排気口４ａ，４ｂに至る送風作用が一層円滑に行われることになる。また、誘導溝１２ａ，１２ｂの存在によりアウトカバー４の補強効果を生じ、肉厚の薄い材料で強度に富むアウトカバー４を軽量に構成することができる。
【図面の簡単な説明】
【０００９】
【図１】本発明気中空冷装置を備えた竪型電動ポンプの要部縦断側面図である。
【図２】本発明気中空冷装置を構成するアウトカバーの平面図である。
【符号の説明】
【００１０】
２      モータケース
３      ステータ
４      アウトカバー
５      通風路
６      送気口
７      小型水中モータ
８      冷却ファン
１２ａ      上端開口部へ向けて伸延される誘導溝
１２ｂ      下端開口部へ向けて伸延される誘導溝
【図１】
2005351158.tif 000003
【図２】
2005351158.tif 000004